(57)【特許請求の範囲】
【請求項１】
圧縮空気より発生するドレンを複数の位置で排出する自動ドレン排出方法において、複数の位置でドレンを排出するに際し使用する電源ＯＮのタイミングを全て同一にし、複数の位置で各々第１回目の排出時間カウントタイマー（２１）と電磁弁駆動部（２４）と排出弁（２５）と第１回目の排出時間設定器（２６）を形成したドレン排出装置（２０、２０Ａ、２０Ｂ、２０Ｃ、２０Ｄ）によってドレン排出を個々に独立して制御させ、第１回目の排出時間を複数の位置で前記ドレン排出装置（２０、２０Ａ、２０Ｂ、２０Ｃ、２０Ｄ）において個々にずらして設定することで、複数の位置で電源ＯＮから第１回目のドレン排出を同じタイミングにならないようにすることを特徴とする自動ドレン排出方法。
【請求項２】
ドレン排出をするに際し、複数の位置で前記ドレン排出装置（２０、２０Ａ、２０Ｂ、２０Ｃ、２０Ｄ）においてドレン排出の周期であるサイクル時間（Ｔｓ）の値を全て同一に固定して設定したことを特徴とする請求項１に記載の自動ドレン排出方法。
【請求項３】
複数の位置で前記ドレン排出装置（２０、２０Ａ、２０Ｂ、２０Ｃ、２０Ｄ）においてドレン排出をしている間の時間であるドレン排出時間（Ｔｄ）の値を全て同一に固定して設定し、前記サイクル時間（Ｔｓ）が前記ドレン排出時間（Ｔｄ）の整数倍であることを特徴とする請求項２に記載の自動ドレン排出方法。
【請求項４】
ドレンを排出するに際し、ドレンが溜まったタイミングと一致した際にドレン排出をすることを特徴とする請求項２または請求項３に記載の自動ドレン排出方法。
【請求項５】
ドレン排出をするに際し、少なくとも前記サイクル時間（Ｔｓ）または前記ドレン排出時間（Ｔｄ）のいずれかの値を変えることが可能であることを特徴とする請求項２ないし請求項４のいずれか１項に記載の自動ドレン排出方法。
【請求項６】
エアーコンプレッサ（１１）によって作り出した圧縮空気より発生するドレンを複数のドレン排出装置（２０、２０Ａ、２０Ｂ、２０Ｃ、２０Ｄ）から排出する自動ドレン排出装置において、複数の前記ドレン排出装置（２０、２０Ａ、２０Ｂ、２０Ｃ、２０Ｄ）が使用する電源を電源線（５１）で共有し、複数の前記ドレン排出装置（２０、２０Ａ、２０Ｂ、２０Ｃ、２０Ｄ）には各々第１回目の排出時間カウントタイマー（２１）とサイクルタイマー（２２）と排出タイマー（２３）と電磁弁駆動部（２４）と排出弁（２５）を形成し、前記第１回目の排出時間カウントタイマー（２１）が前記サイクルタイマー（２２）に信号を送る為の基となる設定値を異なった値で第１回目の排出時間設定器（２６）に各々設けることで複数の前記ドレン排出装置（２０、２０Ａ、２０Ｂ、２０Ｃ、２０Ｄ）が同じタイミングで電源ＯＮから第１回目のドレン排出をしないようにすることを特徴とする自動ドレン排出装置。
【請求項７】
前記ドレン排出装置（２０Ａ）に、サイクル時間を自由に変更出来る排出間隔設定器（２７）を配設したことを特徴とする請求項６に記載の自動ドレン排出装置。
【請求項８】
前記ドレン排出装置（２０Ｂ）に、ドレン排出時間を自由に変更出来る排出時間設定器（２８）を配設したことを特徴とする請求項６に記載の自動ドレン排出装置。
【請求項９】
前記ドレン排出装置（２０Ｃ）に、ドレンが溜まったタイミングと一致した際にドレン排出をすることが出来るようにＡＮＤ回路（３１）とドレンセンサ（３２）を配設したことを特徴とする請求項６に記載の自動ドレン排出装置。
【発明の詳細な説明】
【０００１】
【発明の属する技術分野】
本発明は、自動ドレン排出方法および自動ドレン排出装置に関する技術であって、更に詳細に述べると、エアーコンプレッサやエアーコンプレッサに接続した圧縮空気を送り出す圧縮空気配管の途中に配設したドレンを発生する複数の装置に、接続した複数のドレン排出装置に関するものである。
【０００２】
【従来の技術】
従来の、自動ドレン排出方法および自動ドレン排出装置の概念図としては、図１５に見られるように、エアーコンプレッサ１１で作り出された圧縮空気が吐出可能であるように、エアーコンプレッサ１１に圧縮空気配管６１ａ、６１ｂ、６１ｃ、６１ｄより構成される圧縮空気配管６１を接続し、その圧縮空気配管６１の途中に、装置Ａ１２と装置Ｂ１３と装置Ｃ１４を配設していた。  この場合、圧縮空気配管６１の先端では、圧縮空気によってエアーモータやエアーシリンダ等のアクチュエータより成る各種の空圧機器を作動させることが可能となっていた。
【０００３】
ここで、エアーコンプレッサ１１とドレンを発生する装置Ａ１２と装置Ｂ１３と装置Ｃ１４より発生した油や各種の異物を含んだドレンは、ドレン排出管６２、６３、６４、６５を経由して排出していた。  この場合、ドレン排出管６２はドレン排出管６２ａとドレン排出管６２ｂから構成され、その途中には親機として子機であるドレン排出装置４２を制御するドレン排出装置４１を配設し、ドレン排出管６３はドレン排出管６３ａとドレン排出管６３ｂから構成され、その途中には子機としてのドレン排出装置４２を配設し、ドレン排出管６４はドレン排出管６４ａとドレン排出管６４ｂから構成され、その途中には子機としてのドレン排出装置４２を配設し、ドレン排出管６５はドレン排出管６５ａとドレン排出管６５ｂから構成され、その途中には子機としてのドレン排出装置４２を配設していた。
【０００４】
尚、子機としてのドレン排出装置４２は、具体的には示していないが、電磁弁駆動部と排出弁から構成され、親機としてのドレン排出装置４１からの信号によって作動するようになっていた。  また、親機としてのドレン排出装置４１は、電源線５１に接続していて、具体的には示していないが、各種のタイマーと各種の時間設定器と電磁弁駆動部と排出弁から構成され、子機としてのドレン排出装置４２に信号を送ってドレン排出の作動を制御すると同時に、親機としてのドレン排出装置４１自らもドレンを排出するようになっていた。  ここで、親機や子機全てのドレン排出装置４１、４２が同じタイミングでドレンを排出しないように親機のドレン排出装置４１で制御していた。
【０００５】
一方、従来の、自動ドレン排出方法および自動ドレン排出装置の別の概念図としては、図１６に見られるように、エアーコンプレッサ１１で作り出された圧縮空気が吐出可能であるように、エアーコンプレッサ１１に圧縮空気配管６１ａ、６１ｂ、６１ｃ、６１ｄより構成される圧縮空気配管６１を接続し、その途中に装置Ａ１２と装置Ｂ１３と装置Ｃ１４を配設していた。  この場合、圧縮空気配管６１の先端では、圧縮空気によってエアーモータやエアーシリンダ等のアクチュエータより成る各種の空圧機器を作動させることが可能となっていた。
【０００６】
ここで、エアーコンプレッサ１１と装置Ａ１２と装置Ｂ１３と装置Ｃ１４より発生した油や各種の異物を含んだドレンは、ドレン排出管６２ａ、６３Ａ、６４Ａ、６５Ａを経由して、更に、統合されたドレン排出装置４３とドレン排出管６２ｃを経由して排出していた。  この場合、ドレン排出管６２Ａはドレン排出管６２ａとドレン排出管６２ｃから構成されていた。
【０００７】
尚、統合されたドレン排出装置４３は、電源線５１に接続していて、具体的には示していないが、各種のタイマーと各種の時間設定器と電磁弁駆動部と排出弁から構成され、エアーコンプレッサ１１や装置Ａ１２や装置Ｂ１３や装置Ｃ１４で発生したドレンの排出を同じタイミングで行わない様に制御していた。
【０００８】
【発明が解決しようとする課題】
しかしながら、このような従来の、自動ドレン排出方法および自動ドレン排出装置には、以下に示すような課題があった。
【０００９】
第一に、集中制御方式を取っている為に、親機としての、また、統合された、制御する側のドレン排出装置が故障すると、自動ドレン排出装置の全てのドレン排出の動作が停止することが多かった。
第二に、親機としての、また、統合された、制御する側のドレン排出装置に、接続可能なドレンを発生する装置の数は、最初に設置された、親機としての、また、統合された、ドレン排出装置で決まっている為に、後から増設することが困難であった。
【００１０】
第三に、制御回路の接続にしても、ドレン排出管の接続にしても、複数の接続が必要である為に複雑であった。
第四に、図１５に見られる自動ドレン排出装置では、親機としてのドレン排出装置から子機としてのドレン排出装置に制御線が必要であり邪魔であった。
【００１１】
第五に、図１６に見られる別の自動ドレン排出装置では、ドレンを発生する装置から接続するドレン排出管は高圧の圧縮空気の圧力がかかり、気密性も要求され、コストも高かった。
本発明はこのような課題を解決することを目的としている。
【００１２】
【課題を解決するための手段】
本発明は、圧縮空気より発生するドレンを複数の位置で排出する自動ドレン排出方法において、複数の位置でドレンを排出するに際し使用する電源ＯＮのタイミングを全て同一にし、複数の位置で各々第１回目の排出時間カウントタイマー２１と電磁弁駆動部２４と排出弁２５と第１回目の排出時間設定器２６を形成したドレン排出装置２０、２０Ａ、２０Ｂ、２０Ｃ、２０Ｄによってドレン排出を個々に独立して制御させ、第１回目の排出時間を複数の位置で前記ドレン排出装置２０、２０Ａ、２０Ｂ、２０Ｃ、２０Ｄにおいて個々にずらして設定することで、複数の位置で電源ＯＮから第１回目のドレン排出を同じタイミングにならないようにすることを特徴とし、更には、ドレン排出をするに際し、複数の位置で前記ドレン排出装置２０、２０Ａ、２０Ｂ、２０Ｃ、２０Ｄにおいてドレン排出の周期であるサイクル時間Ｔｓの値を全て同一に固定して設定したことを特徴とし、更には、複数の位置で前記ドレン排出装置２０、２０Ａ、２０Ｂ、２０Ｃ、２０Ｄにおいてドレン排出をしている間の時間であるドレン排出時間Ｔｄの値を全て同一に固定して設定し、前記サイクル時間Ｔｓが前記ドレン排出時間Ｔｄの整数倍であることを特徴とし、更には、ドレンを排出するに際し、ドレンが溜まったタイミングと一致した際にドレン排出をすることを特徴とし、更には、ドレン排出をするに際し、少なくとも前記サイクル時間Ｔｓまたは前記ドレン排出時間Ｔｄのいずれかの値を変えることが可能であることを特徴とすることによって、上記課題を解決した。
【００１３】
また、本発明は、エアーコンプレッサ１１によって作り出した圧縮空気より発生するドレンを複数のドレン排出装置２０、２０Ａ、２０Ｂ、２０Ｃ、２０Ｄから排出する自動ドレン排出装置において、複数の前記ドレン排出装置２０、２０Ａ、２０Ｂ、２０Ｃ、２０Ｄが使用する電源を電源線５１で共有し、複数の前記ドレン排出装置２０、２０Ａ、２０Ｂ、２０Ｃ、２０Ｄには各々第１回目の排出時間カウントタイマー２１とサイクルタイマー２２と排出タイマー２３と電磁弁駆動部２４と排出弁２５を形成し、前記第１回目の排出時間カウントタイマー２１が前記サイクルタイマー２２に信号を送る為の基となる設定値を異なった値で第１回目の排出時間設定器２６に各々設けることで複数の前記ドレン排出装置２０、２０Ａ、２０Ｂ、２０Ｃ、２０Ｄが同じタイミングで電源ＯＮから第１回目のドレン排出をしないようにすることを特徴とし、更には、前記ドレン排出装置２０Ａに、サイクル時間を自由に変更出来る排出間隔設定器２７を配設したことを特徴とし、更には、前記ドレン排出装置２０Ｂに、ドレン排出時間を自由に変更出来る排出時間設定器２８を配設したことを特徴とし、更には、前記ドレン排出装置２０Ｃに、ドレンが溜まったタイミングと一致した際にドレン排出をすることが出来るようにＡＮＤ回路３１とドレンセンサ３２を配設したことを特徴とすることによって、上記課題を解決した。
【００１４】
【発明の実施の形態】
本願発明による、自動ドレン排出方法および自動ドレン排出装置の実施の形態を図面と共に詳細に説明する。
【００１５】
ここで、図１は、本願発明の第１実施形態を示した概念図であり、図２は、第１実施形態で使用しているドレン排出装置の構成図であり、図３は、第１実施形態の動作図であり、図４は、本願発明の第２実施形態を示した概念図であり、図５は、第２実施形態で使用しているドレン排出装置の構成図であり、図６は、第２実施形態の動作図であり、図７は、本願発明の第３実施形態を示した概念図であり、図８は、第３実施形態で使用しているドレン排出装置の構成図であり、図９は、第３実施形態の動作図であり、図１０は、本願発明の第４実施形態を示した概念図であり、図１１は、第４実施形態で使用しているドレン排出装置の構成図であり、図１２は、第４実施形態の動作図であり、図１３は、本願発明の第５実施形態を示した概念図であり、図１４は、第５実施形態で使用しているドレン排出装置の構成図である。
【００１６】
（第１実施形態）
図１で、１１は圧縮空気を作り出すエアーコンプレッサであり、具体的に図示をしてはいないが、圧縮機本体と電動機から構成され、圧縮機本体に形成された空気取入口から大気を吸い込むように構成されている。
【００１７】
更に、エアーコンプレッサ１１で作り出された圧縮空気が吐出可能であるように、エアーコンプレッサ１１に圧縮空気配管６１ａ、６１ｂ、６１ｃ、６１ｄより構成される圧縮空気配管６１を接続し、その圧縮空気配管６１の途中に、圧縮空気を貯蔵するエアータンクと、圧縮空気を冷凍することによって乾燥させる冷凍式エアードライヤと、圧縮空気内の異物を除去するエアーフィルタ等の、ドレンを発生する装置１２、１３、１４を配設していた。  この場合、乾燥して異物の除去された圧縮空気が、圧縮空気配管６１の先端では、圧縮空気によってエアーモータやエアーシリンダ等のアクチュエータより成る各種の空圧機器を作動させることが可能となっている。
【００１８】
ここで、エアーコンプレッサ１１とドレンを発生する各種の装置１２、１３、１４より発生した油や各種の異物を含んだドレンは、ドレン排出管６２、６３、６４、６５を経由して排出される。  この場合、ドレン排出管６２はドレン排出管６２ａとドレン排出管６２ｂから構成され、その途中にはドレン排出装置２０を配設し、ドレン排出管６３はドレン排出管６３ａとドレン排出管６３ｂから構成され、その途中にはドレン排出装置２０を配設し、ドレン排出管６４はドレン排出管６４ａとドレン排出管６４ｂから構成され、その途中にはドレン排出装置２０を配設し、ドレン排出管６５はドレン排出管６５ａとドレン排出管６５ｂから構成され、その途中にはドレン排出装置２０を配設している。
【００１９】
一方、図２に見られるように、ドレン排出装置２０は、第１回目の排出時間設定器２６と、電源投入（電源ＯＮ）と同時に作動して第１回目の排出時間設定器２６と接続してその設定値に応じた時間だけ作動してカウントする第１回目の排出時間カウントタイマー２１と、第１回目の排出時間カウントタイマー２１からの信号によりカウント開始時期を設定され、その後は、連続して固定したサイクル時間をカウントするサイクルタイマー２２と、サイクルタイマー２２の排出命令信号により固定したドレン排出時間の間電磁弁駆動部２４に対して排出動作制御信号を送る排出タイマー２３と、電磁弁等の開閉の駆動を行う電磁弁駆動部２４と、電磁弁である排出弁２５から構成されている。  但し、排出弁２５は、モーターバルブでもかまわない。
【００２０】
また、ドレン排出装置２０は電源線５１と接続している。  更に、第１回目の排出時間設定器２６と第１回目の排出時間カウントタイマー２１の間、第１回目の排出時間カウントタイマー２１とサイクルタイマー２２の間、サイクルタイマー２２と排出タイマー２３の間、排出タイマー２３と電磁弁駆動部２４の間、電磁弁駆動部２４と排出弁２５の間も信号を送ることが可能となっている。
【００２１】
尚、ドレン排出装置２０を構成している排出弁２５は、図２では、ドレン排出管６２の途中に配設しているが、ドレン排出管６３、６４、６５の途中に配設していて、ドレン排出管６３、６４、６５を開閉することが可能となっている。
【００２２】
本発明による、自動ドレン排出方法および自動ドレン排出装置は、前述したように構成されており、以下に、その動作について説明する。
【００２３】
先ず、図３は、第１実施形態の動作図であり、図１と、図２に見られる装置の動作を示したものである。
【００２４】
ここで、電源が投入（電源ＯＮ）されると、最初に、各ドレン排出装置２０を構成している全ての第１回目の排出時間カウントタイマー２１が動作する。  尚、第１回目の排出時間カウントタイマー２１が動作している間、サイクルタイマー２２は初期状態で待機している。
【００２５】
この場合、各第１回目の排出時間カウントタイマー２１は第１回目の排出時間設定器２６の設定値に応じた時間だけ作動してカウントし、このカウントによって各サイクルタイマー２２の動作開始時間を設定していて、この設定を識別信号としている。  このことによって、各サイクルタイマー２２の開始時間をずらすことにより、ドレン排出時間のタイミングが重複することを完全に防止しているのである。
【００２６】
一方、図３には、エアーコンプレッサ１１と装置Ａ１２と装置Ｂ１３と装置Ｃ１４に接続している各ドレン排出装置２０毎に、「第１回目の排出時間カウントタイマー」という表示で、各ドレン排出装置２０の第１回目の排出時間設定器２６に設定している値である第１回の排出の開始時間としての”ＴｐＮ”と、「サイクルタイマー」という表示で、各サイクルタイマー２２に共通して設定されているサイクル時間を位相をずらした状態で示している”サイクル時間：Ｔｓ”と、「ドレン排出タイマー」という表示で、全ての排出タイマー２３に共通して設定されている時間である”ドレン排出時間：Ｔｄ”によるドレン排出のタイミングを示している。
【００２７】
即ち、「第１回目の排出時間カウントタイマー」という表示で第１回目の排出時間設定器２６に別々に設定している値の”ＴｐＮ”でいえば、一番上段に示されている「エアーコンプレッサ１１のドレン排出装置２０」では、電源ＯＮ時でもある”０”で値が設定され、二段目に示されている「装置Ａ１２のドレン排出装置２０」では、電源ＯＮ時から”Ｔｐ１”経過した値で設定され、三段目に示されている「装置Ｂ１３のドレン排出装置２０」では、電源ＯＮ時から”Ｔｐ２”経過した値で設定され、最終段目に示されている「装置Ｃ１４のドレン排出装置２０」では、電源ＯＮ時から”Ｔｐ３”経過した値で設定されている。
【００２８】
この場合、第１回目の排出時間設定器２６に設定している値である”ＴｐＮ”が、”サイクル時間：Ｔｓ”と整数比の関係にすることが本願発明の意図している所である。  この関係を、図３で具体的に述べると、一番上段では０：４、二段目では１：４、三段目では２：４、最終段目では３：４に設定することで、４組のドレン排出装置２０全体で見た時に、各ドレン排出装置２０を構成している排出弁２５が等間隔でドレンを排出出来るようになっているのである。  但し、一番上段の０：４の設定に代えて４：４の設定にすることも可能である。
【００２９】
ここで、ドレン排出時間Ｔｄの設定の仕方によっては、常に一部の値が重複する場合も有り得る。  更に、サイクル時間Ｔｓをドレン排出時間Ｔｄの整数倍に設定することで重複を防止することも可能である。  この関係は、図３では、８倍の関係にしたものを示しているが、この場合は、全く重複することは無い。
又、図３に示してはいないが、４倍の関係でも重複することは無い。  当然のことであるが、２倍の関係にすると常にドレン排出のタイミングはずれているが、ドレン排出時間が長くなることで一部は重複するようになる。
【００３０】
尚、図３には、４組のドレン排出装置２０を配設している場合の例を示しているが、３組のドレン排出装置２０を配設している例として、設定値としては、４組の”ＴｐＮ、サイクル時間：Ｔｓ、ドレン排出時間：Ｔｄ”と同じ様に設定して、４組の設定値の中から３組を選ぶことも考えられる。  その場合には、３組のドレン排出装置２０のドレン排出は、１組を除いた分、等間隔とはならないが重複してドレンを排出することは無い。  当然、３組の場合でも、４組に示したような要領で、０：３、１：３、２：３、の関係にすると、各ドレン排出装置２０が等間隔で重複しないでドレンを排出することも可能である。
【００３１】
（第２実施形態）
図４と図５で、第１実施形態と違う点は、図４に見られるように、装置Ａ１２に接続したドレン排出管６３の途中に配設したドレン排出装置２０に代えて、ドレン排出装置２０Ａを配設していることである。  この場合、図５に見られるように、ドレン排出装置２０Ａは、ドレン排出装置２０に排出間隔設定器２７を付加した構成となっている。
【００３２】
尚、排出間隔設定器２７は、サイクルタイマー２２に信号を送ることが可能となっている。  この場合、排出間隔設定器２７によってサイクルタイマー２２に設定されている固有のサイクル時間Ｔｓの値を何倍かの値に変えることが出来るが、整数倍にすることによって整数のドレン排出装置２０、２０Ａが重複してドレンを排出するのを防止することが出来る。
【００３３】
本発明による、自動ドレン排出方法および自動ドレン排出装置は、前述したように構成されており、以下に、その動作について説明する。
【００３４】
この場合、図６で、第１実施形態と違う点は、２段目の装置Ａ１２に接続したドレン排出管６３の途中に配設したドレン排出装置２０Ａのサイクル時間が、エアーコンプレッサ１１や装置Ｂ１３や装置Ｃ１４に接続したドレン排出装置２０のサイクル時間と異なることである。  具体的には、図６では、固有値に対し２倍の値になるように設定をしている。  但し、整数倍に設定することで、重複してドレンを排出するのを防止とている。
【００３５】
尚、図４と図６では、ドレン排出装置２０Ａは、装置Ａ１２にしか接続していないが、装置Ａ１２を含め、エアーコンプレッサ１１や装置Ｂ１３や装置Ｃ１４に、単独で、または、複数個所に接続してもかまわないし、全てにドレン排出装置２０Ａを接続しても良い。
【００３６】
（第３実施形態）
図７と図８で、第１実施形態と違う点は、図７に見られるように、装置Ａ１２に接続したドレン排出管６３の途中に配設したドレン排出装置２０に代えて、ドレン排出装置２０Ｂを配設していることである。  この場合、図７に見られるように、ドレン排出装置２０Ｂは、ドレン排出装置２０に排出時間設定器２８を付加した構成となっている。
【００３７】
尚、排出時間設定器２８は、排出タイマー２３に信号を送ることが可能となっている。  この場合、排出時間設定器２８によって、排出タイマー２３に設定されているドレン排出時間Ｔｄの値を自由に変えることが出来るが、設定の仕方によっては、一部重複する場合も有り得る。
【００３８】
本発明による、自動ドレン排出方法および自動ドレン排出装置は、前述したように構成されており、以下に、その動作について説明する。
【００３９】
この場合、図９で、第１実施形態と違う点は、２段目の装置Ａ１２に接続したドレン排出管６３の途中に配設したドレン排出装置２０Ｂのドレン排出時間が、エアーコンプレッサ１１や装置Ｂ１３や装置Ｃ１４に接続したドレン排出装置２０のドレン排出時間と異なることである。  具体的には、図９では、固有の値に対し半分の値になるように設定している。  但し、ドレン排出時間に関しては、この様に半分の値に設定すると重複することは無いが、２倍・３倍・・・とドレン排出時間を長くすると、一部で重複する可能性はでてくる。
【００４０】
尚、図７と図９では、ドレン排出装置２０Ｂは、装置Ａ１２にしか接続していないが、装置Ａ１２を含め、エアーコンプレッサ１１や装置Ｂ１３や装置Ｃ１４に、単独で、または、複数個所に接続してもかまわないし、全てにドレン排出装置２０Ｂを接続しても良い。
【００４１】
（第４実施形態）
図１０と図１１で、第１実施形態と違う点は、図１０に見られるように、エアーコンプレッサ１１と装置Ａ１２に接続したドレン排出管６２、６３の途中に配設したドレン排出装置２０に代えて、ドレン排出装置２０Ｃを配設していることである。  この場合、図１１に見られるように、ドレン排出装置２０Ｃは、ドレン排出装置２０にＡＮＤ回路３１とドレンセンサ３２を付加した構成となっている。
【００４２】
尚、ドレンセンサ３２は、排出弁２５の上流に配設していて、ＡＮＤ回路３１は、電磁弁駆動部２４とドレンセンサ３２から情報を受け、排出弁２５に情報を伝達出来るようになっている。
【００４３】
本発明による、自動ドレン排出方法および自動ドレン排出装置は、前述したように構成されており、以下に、その動作について説明する。
【００４４】
この場合、図１２で、第１実施形態と違う点は、第１実施形態の動作に加えて、エアーコンプレッサ１１と装置Ａ１２に接続したドレン排出管６２、６３の途中に配設したドレン排出装置２０Ｃでは、ドレン排出装置２０Ｃを構成しているドレンセンサ３２がドレンの存在を感知することである。  従って、ドレン排出装置２０Ｃを構成している各種のタイマーや設定器２１、２２、２３、２６によるドレン排出の指示とドレンセンサ３２からの信号により、この両者の時間が一致して間をＡＮＤ回路３１によって確認し、ドレンを排出している。  このことによって、ドレンが溜まった必要な場合にだけドレンを排出させながら、重複したドレン排出を防止し、不用意な圧力低下を防いでいる。
【００４５】
尚、図１０と図１２では、ドレン排出装置２０Ｃは、エアーコンプレッサ１１と装置Ａ１２にだけ接続しているが、エアーコンプレッサ１１と装置１２、１３、１４に、単独で、複数で、場合によっては全数ドレン排出装置２０Ｃを接続し、それ以外にはドレン排出装置２０を接続するということも考えられる。
【００４６】
（第５実施形態）
図１３と図１４で、第４実施形態と違う点は、図１４に見られるように、装置Ａ１２に接続したドレン排出管６３の途中に配設したドレン排出装置２０Ｃに代えて、ドレン排出装置２０Ｄを配設していることである。  この場合、図１４に見られるように、ドレン排出装置２０Ｄは、ドレン排出装置２０Ｃに排出間隔設定器２７を付加した構成となっている。  尚、排出間隔設定器２７は、サイクルタイマー２２に信号を送ることが可能となっている。
【００４７】
本発明による、自動ドレン排出方法および自動ドレン排出装置は、前述したように構成されており、以下に、その動作について説明する。
【００４８】
この場合、具体的に図示はしていないが、第４実施形態と違う点は、第４実施形態の条件に加えて、装置Ａ１２に接続したドレン排出管６３の途中に配設したドレン排出装置２０Ｄのサイクルタイマー２２だけが排出間隔設定器２７によって異なった値のサイクルが設定されているということである。  即ち、第４実施形態に第２実施形態の機能が加わったということである。
【００４９】
尚、図１３では、ドレン排出装置２０Ｄは、装置Ａ１２に接続しているドレン排出管６２の途中に配設しているが、エアーコンプレッサ１１と装置１２、１３、１４を含め、全部に、また、特定のものに、複数でも単数でも配設することは可能である。
【００５０】
また、以上の実施形態の他に、第１実施形態のドレン排出装置２０に排出間隔設定器２７と排出時間設定器２８の両方を加えたものや、第４実施形態のドレン排出装置２０Ｃに第３実施形態の機能に関係する排出時間設定器２８を加えたものや、排出間隔設定器２７と排出時間設定器２８の両者を加えたものが考えられる。  更に、これらのドレン排出装置２０、２０Ａ、２０Ｂ、２０Ｃ、２０Ｄや、上記応用例を、エアーコンプレッサ１１と装置１２、１３、１４に取り混ぜて使用することも出来る。
【００５１】
【発明の効果】
以上の説明から明らかなように、本発明により、下記のような効果をあげることができる。
【００５２】
第一に、各ドレン排出装置の排出時間の位相をずらしているので同時に排出することは無い。  従って、同時排出が無いので、圧縮空気圧力が急激に低下することは無いし、排出配管を共通にしても逆流しない。
第二に、各ドレン排出装置は、親機と子機の区別がなく全く同じもので良く、保守が容易であり、コスト低減が可能である。
【００５３】
第三に、独立制御方式であるので、もし１台が故障してもそこだけの故障であり全体に影響しない。
第四に、独立制御方式であるので、必要個所にドレン排出装置を設置し、共通電源を接続するだけで良く、設置や増設が容易である。
【００５４】
第五に、ドレン排出装置の回路構成は、タイマー等簡単な回路構成で実現出来るのでコスト的に有利である。
第六に、ドレン排出装置のドレン排出順序は、希望する順序に自由に設定することが出来る。
【００５５】
第七に、ドレン排出装置の設置台数は、自由に設置可能である。
第八に、サイクル時間やドレン排出時間共に、自由に設定値を変更することが容易になった。  従って、ドレン発生量に応じたきめ細かなドレン排出が可能となり、圧縮空気の無駄な排出を防止出来るようになった。
【００５６】
第九に、ドレンセンサによってドレンの発生する実態をとらえることによって、適確にタイミング良くドレンを排出することが可能となった。
【図面の簡単な説明】
【図１】本願発明の第１実施形態を示した概念図
【図２】第１実施形態で使用しているドレン排出装置の構成図
【図３】第１実施形態の動作図
【図４】本願発明の第２実施形態を示した概念図
【図５】第２実施形態で使用しているドレン排出装置の構成図
【図６】第２実施形態の動作図
【図７】本願発明の第３実施形態を示した概念図
【図８】第３実施形態で使用しているドレン排出装置の構成図
【図９】第３実施形態の動作図
【図１０】本願発明の第４実施形態を示した概念図
【図１１】第４実施形態で使用しているドレン排出装置の構成図
【図１２】第４実施形態の動作図
【図１３】本願発明の第５実施形態を示した概念図
【図１４】第５実施形態で使用しているドレン排出装置の構成図
【図１５】従来の概念図
【図１６】従来の別の概念図
【符号の説明】
１１・・・・・エアーコンプレッサ
１２・・・・・装置Ａ
１３・・・・・装置Ｂ
１４・・・・・装置Ｃ
２０・・・・・ドレン排出装置
２０Ａ・・・・ドレン排出装置
２０Ｂ・・・・ドレン排出装置
２０Ｃ・・・・ドレン排出装置
２０Ｄ・・・・ドレン排出装置
２１・・・・・第１回目の排出時間カウントタイマー
２２・・・・・サイクルタイマー
２３・・・・・排出タイマー
２４・・・・・電磁弁駆動部
２５・・・・・排出弁
２６・・・・・第１回目の排出時間設定器
２７・・・・・排出間隔設定器
２８・・・・・排出時間設定器
３１・・・・・ＡＮＤ回路
３２・・・・・ドレンセンサ
４１・・・・・ドレン排出装置
４２・・・・・ドレン排出装置
４３・・・・・ドレン排出装置
５１・・・・・電源線
６１・・・・・圧縮空気配管
６１ａ・・・・圧縮空気配管
６１ｂ・・・・圧縮空気配管
６１ｃ・・・・圧縮空気配管
６１ｄ・・・・圧縮空気配管
６２・・・・・ドレン排出管
６２Ａ・・・・ドレン排出管
６２ａ・・・・ドレン排出管
６２ｂ・・・・ドレン排出管
６２ｃ・・・・ドレン排出管
６３・・・・・ドレン排出管
６３Ａ・・・・ドレン排出管
６３ａ・・・・ドレン排出管
６３ｂ・・・・ドレン排出管
６４・・・・・ドレン排出管
６４Ａ・・・・ドレン排出管
６４ａ・・・・ドレン排出管
６４ｂ・・・・ドレン排出管
６５・・・・・ドレン排出管
６５Ａ・・・・ドレン排出管
６５ａ・・・・ドレン排出管
６５ｂ・・・・ドレン排出管
【図１】
0003616914.tif 000002
【図２】
0003616914.tif 000003
【図３】
0003616914.tif 000004
【図４】
0003616914.tif 000005
【図５】
0003616914.tif 000006
【図６】
0003616914.tif 000007
【図７】
0003616914.tif 000008
【図８】
0003616914.tif 000009
【図９】
0003616914.tif 000010
【図１０】
0003616914.tif 000011
【図１１】
0003616914.tif 000012
【図１２】
0003616914.tif 000013
【図１３】
0003616914.tif 000014
【図１４】
0003616914.tif 000015
【図１５】
0003616914.tif 000016
【図１６】
0003616914.tif 000017